(57)【特許請求の範囲】
【請求項１】
表示部と、
ボタン操作部材が一定時間以上押下され続けたか否かを判定する判定手段と、
前記表示部の輝度を、最大値、最小値、少なくとも１つの中間値を含む複数段階の中から設定する設定手段と、
前記設定手段によって設定された輝度で前記表示部に表示を行っている際に、単一の操作部材である前記ボタン操作部材に対する１回の操作である特定の操作として、該ボタン操作部材が一定時間以上押下され続ける操作が行われると、前記設定手段によって設定された輝度に関わらず、前記最小値の輝度で前記表示部に表示を行い、
前記特定の操作が行われたことによって前記最小値の輝度で前記表示部に表示を行っている際に、前記特定の操作が再度行われると、前記最小値の輝度から前記設定手段によって設定された輝度に戻すように制御する制御手段と、
前記設定手段によって設定された輝度で前記表示部に表示を行っている際に、前記判定手段によって前記ボタン操作部材が一定時間未満押下されたと判定すると、前記表示部の輝度を変更せずに、現在の表示モードを、表示される情報が異なる他の表示モードに切り替える表示モード切替手段と
を有することを特徴とする表示装置。
【請求項２】
表示部と、
前記表示部の輝度を、最大値、最小値、少なくとも１つの中間値を含む複数段階の中から設定する設定手段と、
前記設定手段によって設定された輝度で前記表示部に表示を行っている際に、単一の操作部材に対する１回の操作である特定の操作が行われると、前記設定手段によって設定された輝度に関わらず、前記最小値の輝度で前記表示部に表示を行い、
前記特定の操作が行われたことによって前記最小値の輝度で前記表示部に表示を行っている際に、前記特定の操作が再度行われると、前記最小値の輝度から前記設定手段によって設定された輝度に戻し、
前記表示部の輝度を前記最小値の輝度から前記設定手段によって設定された輝度に戻した後に、前記単一の操作部材に対して前記特定の操作が行われると、前記設定手段によって設定された輝度に関わらず、前記最大値の輝度で前記表示部に表示を行うように制御する制御手段と
を有することを特徴とする表示装置。
【請求項３】
前記制御手段は、前記特定の操作が行われたことによって前記最小値の輝度で前記表示部に表示を行っている際に、当該表示装置の主電源がオフされたあと、再びオンした際には、前記設定手段によって設定された輝度で前記表示部に表示を行うよう制御することを特徴とする請求項１または２に記載の表示装置。
【請求項４】
前期設定手段によって設定された輝度を、不揮発性の記憶媒体に記録するよう制御する記録制御手段をさらに有することを特徴とする請求項３に記載の表示装置。
【請求項５】
撮像手段と、
前記撮像手段によって撮像された画像を前記表示部に表示するよう制御する表示制御手段とをさらに有することを特徴とする請求項１乃至４のいずれか１項に記載の表示装置。
【請求項６】
前記表示部は液晶パネルであり、
前記液晶パネルの背面より光を照射するバックライトを更に有し、
前記設定手段と前記制御手段は、前記バックライトの照射量を制御することで、前記液晶パネルの輝度を制御することを特徴とする請求項１乃至５のいずれか１項に記載の表示装置。
【請求項７】
前記制御手段は、前記表示部の輝度を前記最小値の輝度から前記設定手段によって設定された輝度に戻した後に、前記単一の操作部材に対して前記特定の操作が行われると、前記設定手段によって設定された輝度に関わらず、前記最大値の輝度で前記表示部に表示を行うように制御することを特徴とする請求項１に記載の表示装置。
【請求項８】
画像を表示部に表示する表示ステップと、
ボタン操作部材が一定時間以上押下され続けたか否かを判定する判定ステップと、
前記表示部の輝度を、最大値、最小値、少なくとも１つの中間値を含む複数段階の中から設定する設定ステップと、
前記設定ステップによって設定された輝度で前記表示部に表示を行っている際に、単一の操作部材である前記ボタン操作部材に対する１回の操作である特定の操作として、該ボタン操作部材が一定時間以上押下され続ける操作が行われると、前記設定ステップによって設定された輝度に関わらず、前記最小値の輝度で前記表示部に表示を行い、
前記特定の操作が行われたことによって前記最小値の輝度で前記表示部に表示を行っている際に、前記特定の操作が再度行われると、前記最小値の輝度から前記設定ステップによって設定された輝度に戻すように制御する制御ステップと、
前記設定ステップによって設定された輝度で前記表示部に表示を行っている際に、前記判定ステップによって前記ボタン操作部材が一定時間未満押下されたと判定すると、前記表示部の輝度を変更せずに、現在の表示モードを、表示される情報が異なる他の表示モードに切り替える表示モード切替ステップと
を有することを特徴とする表示装置の制御方法。
【請求項９】
画像を表示部に表示する表示ステップと、
前記表示部の輝度を、最大値、最小値、少なくとも１つの中間値を含む複数段階の中から設定する設定ステップと、
前記設定ステップによって設定された輝度で前記表示部に表示を行っている際に、単一の操作部材に対する１回の操作である特定の操作が行われると、前記設定ステップによって設定された輝度に関わらず、前記最小値の輝度で前記表示部に表示を行い、
前記特定の操作が行われたことによって前記最小値の輝度で前記表示部に表示を行っている際に、前記特定の操作が再度行われると、前記最小値の輝度から前記設定ステップによって設定された輝度に戻し、
前記表示部の輝度を前記最小値の輝度から前記設定ステップによって設定された輝度に戻した後に、前記単一の操作部材に対して前記特定の操作が行われると、前記設定ステップによって設定された輝度に関わらず、前記最大値の輝度で前記表示部に表示を行うように制御する制御ステップと
を有することを特徴とする表示装置の制御方法。
【請求項１０】
コンピュータを、請求項１乃至７のいずれか１項に記載された表示装置の各手段として機能させるプログラム。
【請求項１１】
コンピュータを、請求項１乃至７のいずれか１項に記載された表示装置の各手段として機能させるプログラムを格納したコンピュータが読み取り可能な記憶媒体。
【発明の詳細な説明】
【技術分野】
【０００１】
本発明は、表示装置およびその制御方法に関するものである。
【背景技術】
【０００２】
従来、液晶表示装置で用いられているパネルバックライトの輝度を、ユーザーの好みに変更する調光機能を備えた表示装置を有するノートブック型パソコン、デジタルカメラ、ＰＤＡ等の装置が多数存在する。
【０００３】
その類似機能として、バックライトの輝度を段階的に調光するのではなく、ボタン操作で大幅に変更する表示装置も存在する。図２を用いて、輝度を変更する具体的な方法について説明する。
【０００４】
まず、調光ステップと輝度の関係がＢの曲線からＡの曲線へ変更される。Ｂの＋２ステップにあるものは、Ａの＋２ステップへと変更され、つまり、調光輝度ステップはそのままに、輝度をある割合アップさせることが可能となる。
【０００５】
また、バックライトの輝度を外光の強弱により自動的に変更する提案は既に多数なされている。例えば代表的な提案として、装置周囲の明るさを検出するセンサと、検出された明るさに応じてバックライトの輝度を調整する輝度調整部により、照度に応じて輝度を制御する技術である。
【先行技術文献】
【特許文献】
【０００６】
【特許文献１】特開平２−１２１２５号公報
【発明の概要】
【発明が解決しようとする課題】
【０００７】
しかしながら、上記機器においては、消費電力削減のために一定時間が経過すると、ユーザーの意に反して自動的に液晶表示装置の輝度が変更されてしまい、ユーザーにとっては使いづらい仕様となっている。
【０００８】
また、液晶表示装置の最大輝度もしくは最小輝度に変更する場合は、メニュー画面等により調光設定を行う必要があり、即座に輝度を変化させることが出来ない。
【０００９】
また、上記〔特許文献１〕においては、明るさを検出するセンサが必要となり、コストアップ、装置の体積アップ等の問題が生じる。
【００１０】
本発明は、上記問題点に鑑みてなされたもので、ユーザが任意に複数段階の中から設定した表示部の輝度に関わらず、簡単な操作で即座に輝度を最小とし、また、同じく簡単な操作で即座に最小値にした輝度を元に戻すことが可能な表示装置を提供することを目的とする。
【課題を解決するための手段】
【００１１】
上記課題を解決するために、本発明の請求項１の表示装置は、
表示部と、
ボタン操作部材が一定時間以上押下され続けたか否かを判定する判定手段と、
前記表示部の輝度を、最大値、最小値、少なくとも１つの中間値を含む複数段階の中から設定する設定手段と、
前記設定手段によって設定された輝度で前記表示部に表示を行っている際に、単一の操作部材である前記ボタン操作部材に対する１回の操作である特定の操作として、該ボタン操作部材が一定時間以上押下され続ける操作が行われると、前記設定手段によって設定された輝度に関わらず、前記最小値の輝度で前記表示部に表示を行い、
前記特定の操作が行われたことによって前記最小値の輝度で前記表示部に表示を行っている際に、前記特定の操作が再度行われると、前記最小値の輝度から前記設定手段によって設定された輝度に戻すように制御する制御手段と、
前記設定手段によって設定された輝度で前記表示部に表示を行っている際に、前記判定手段によって前記ボタン操作部材が一定時間未満押下されたと判定すると、前記表示部の輝度を変更せずに、現在の表示モードを、表示される情報が異なる他の表示モードに切り替える表示モード切替手段と
を有することを特徴とする。
また、上記課題を解決するために、本発明の請求項２の表示装置は、
表示部と、
前記表示部の輝度を、最大値、最小値、少なくとも１つの中間値を含む複数段階の中から設定する設定手段と、
前記設定手段によって設定された輝度で前記表示部に表示を行っている際に、単一の操作部材に対する１回の操作である特定の操作が行われると、前記設定手段によって設定された輝度に関わらず、前記最小値の輝度で前記表示部に表示を行い、
前記特定の操作が行われたことによって前記最小値の輝度で前記表示部に表示を行っている際に、前記特定の操作が再度行われると、前記最小値の輝度から前記設定手段によって設定された輝度に戻し、
前記表示部の輝度を前記最小値の輝度から前記設定手段によって設定された輝度に戻した後に、前記単一の操作部材に対して前記特定の操作が行われると、前記設定手段によって設定された輝度に関わらず、前記最大値の輝度で前記表示部に表示を行うように制御する制御手段と
を有することを特徴とする。
【発明の効果】
【００１２】
本発明によれば、ユーザが任意に複数段階の中から設定した表示部の輝度に関わらず、簡単な操作で即座に輝度を最小とし、また、同じく簡単な操作で即座に最小値にした輝度を元に戻すことが可能になる。
【図面の簡単な説明】
【００１３】
【図１】本発明によるデジタルカメラの実施形態を示すブロック図である。
【図２】従来の調光ステップと輝度の変化を示す。
【図３】本発明の調光ステップと輝度の変化を示す。
【図４】本発明の実施形態を表すフローチャートである。
【図５】図４のサブルーチンである、パワーＬＣＤ設定を示すフローチャートである。
【図６】図４のサブルーチンである、パワーＬＣＤ設定を示すフローチャートである。
【図７】図４のサブルーチンである、バックライト輝度調光設定を示すフローチャートである。
【図８】図４のサブルーチンである、表示設定を示すフローチャートである。
【図９】パワーＬＣＤ設定における輝度変更の変遷を示す一例である。
【図１０】パワーＬＣＤ設定における輝度変更の変遷を示す一例である。
【図１１】パワーＬＣＤ設定における輝度変更の変遷を示す一例である。
【図１２】パワーＬＣＤ設定における輝度変更の変遷を示す一例である。
【図１３】パワーＬＣＤ設定における輝度変更の変遷を示す一例である。
【発明を実施するための形態】
【００１４】
図１は、本発明の第１の実施形態に係るデジタルカメラの構成図である。
【００１５】
１０は液晶表示装置であり、ＬＣＤ等の液晶パネル１１ならびに液晶パネル１１の背面より光を照射するバックライト１２より構成される。１３は液晶パネル１１を駆動するパネル駆動回路、１４はバックライト１０を駆動するバックライト駆動回路である。
【００１６】
２１は画像信号処理装置であり、Ａ／Ｄ変換回路３４もしくは中央処理装置２２からの制御信号・映像を受け、パネル駆動回路１３に映像信号を出力する。２２は中央処理装置であり、パネル駆動回路１３、バックライト駆動回路１４、撮像駆動回路３３等の駆動回路の制御を行う装置である。また中央処理装置２２は、モード切替スイッチ４１、表示設定ボタン４２等の操作により、前記の駆動回路の制御を行う。
【００１７】
３０は撮像装置であり、レンズ３１、撮像素子３２、撮像駆動回路３３、Ａ／Ｄ変換回路３４より形成されるものとする。３１は撮像部のレンズであり、図示しないが、バリア、絞り、鏡筒等も含む。３２はＣＣＤ等の撮像素子であり、レンズ３１を通過した光を受光し、電圧に変換する。３３は撮像駆動回路であり、撮像素子３２を駆動する駆動回路である。３４はＡ／Ｄ変換回路であり、撮像素子３２から出力された出力電圧（アナログ量）を規定のビット数のデジタル値に変換する。なお、撮像駆動回路３３は、Ａ／Ｄ変換回路３４のＡ／Ｄのサンプリングのタイミングも制御する。
【００１８】
４１はモード切替スイッチであり、操作者により静止画撮影モード、動画撮影モード、再生モードのうち１つのモードが設定される。４２は表示設定ボタンであり、押されるボタンの回数により、液晶表示装置の状態が（１）映像のみの表示、（２）映像表示ならびに撮影モード、バッテリー残量等の情報表示、（３）表示なしの３つの状態に変更することが可能である。また、表示設定ボタン４２が所定時間以上押下（長押し）された場合、本発明の特徴であるパワーＬＣＤモードが設定される。パワーＬＣＤモードの詳細については後述する。
【００１９】
５１はフラッシュメモリ等のメモリであり、操作者によって設定されるパワーＬＣＤモードの状態を示すパワーＬＣＤフラグの記憶、パワーＬＣＤモードがＯＮになった際にその直前のバックライト駆動回路１４に出力する制御信号（後述するステップＳ１０４のバックライト輝度調光設定により設定される制御信号。）の記憶、バックライトの輝度を最大、最小に設定するためのバックライト駆動回路１４に出力する制御信号の記憶、各設定状況を記憶する。
【００２０】
５２は外部メモリスロットであり、ＳＤメモリ、コンパクトフラッシュ（登録商標）等のメディアが挿入可能であり、中央処理装置２２により、データの読み書きがなされる。６１は光学ファインダーである。
【００２１】
（フローチャートの説明）
図４乃至図１３を参照して、実施形態の動作について説明する。
【００２２】
図４は本実施形態のフローチャートである。
【００２３】
操作者により装置本体の主電源がオンされると、ステップＳ１０１では、所定の初期設定が行われる。具体的には、後述するＳ１０４のバックライト輝度調光設定で設定された制御信号による輝度が設定される。
【００２４】
ステップＳ１０２では、主電源がオフされたか否か判断し、オフされたと判断した場合、処理は終了する。
【００２５】
一方、主電源オフでない場合は、ステップＳ１０６では操作者により操作された操作ボタンの種類が判断される。
【００２６】
ステップＳ１０６で、表示設定ボタン４２が操作されたと判断された場合は、処理はステップＳ１０７に移行する。
【００２７】
ステップＳ１０７では、表示設定ボタン４２が押下された時間を計測し、所定時間（例えば、１秒）以上押下、即ち、長押しされたと判断された場合、パワーＬＣＤモード設定が選択されたと判断し、ステップＳ１０３でパワーＬＣＤモード設定が行われる。
【００２８】
パワーＬＣＤモードで該設定された値（最大値もしくは最小値等）は、主電源がオフされるまで保持され、液晶表示装置１０の輝度は保持される。また、該制御信号はフラッシュメモリ５１には記憶されないため、主電源オフにより、設定された輝度はパワーＬＣＤモード設定前の輝度に戻る。この処理は、一般的には、電源オフされた場合、撮影のシチュエーションが変わることが多いことによるためである。
【００２９】
パワーＬＣＤモード設定の詳細については、図５を用いて説明する。
【００３０】
ステップＳ１０７で、表示設定ボタン４２の押下時間が前記所定時間未満であった場合、ステップＳ１０５の表示設定へと移行する。表示設定処理については、図８を用いて説明する。
【００３１】
また、ステップＳ１０６でＭＥＮＵボタンが操作され、バックライト輝度調光設定メニューが選択されたと判断された場合、ステップＳ１０４のバックライト輝度調光設定処理が行われる。バックライト輝度調光設定処理については、図７を用いて説明する。
【００３２】
上記実施形態では、表示設定ボタン４２の押下時間に応じてパワーＬＣＤモードと表示設定モードを切り替えて制御するため、パワーＬＣＤモード専用ボタンを設ける必要がなく、デジタルカメラ等の部品数の減少、機器の小型化を実現することができる。
【００３３】
また、デジタルカメラにおいては、Ｓ１０３〜Ｓ１０５以外にも数多くの機能設定・動作が存在するが、本実施形態においてはそれら設定・動作については詳述しないことにする。Ｓ１０３〜Ｓ１０５それぞれのサブルーチンの動作が終了したら再びＳ１０２へ移行する。
【００３４】
図５は、図４のＳ１０３におけるパワーＬＣＤモード設定のサブルーチンである。
【００３５】
パワーＬＣＤモード設定が選択されると、ステップＳ２０１にて、中央処理回路２２はフラッシュメモリ５１内に記憶されているパワーＬＣＤフラグをチェックする。パワーＬＣＤフラグは４つの値のうちの１つの値をとり、次のような意味を持つ。すなわち、
（１）００：バックライトの輝度は調光設定により設定されており、かつ変更前の値が最小値（図３の−７）または調光設定により設定された値
（２）０１：バックライトの輝度はパワーＬＣＤモード設定により、最大値（図３の＋７）に設定されている
（３）１０：バックライトの輝度は調光設定により設定されており、かつ変更前の値が最大値
（４）１１：バックライトの輝度はパワーＬＣＤモード設定により、最小値に設定されている
【００３６】
上記（１）の場合は、フラッシュメモリ５１に記憶されている、バックライト１２を最大輝度にするための、バックライト駆動回路１４に出力する制御信号を読み出した後、パワーＬＣＤメモリから最大値となるような制御信号を読み出し（ステップＳ２０２）、パワーＬＣＤフラグに０１を上書きし（ステップＳ２０３）、ステップＳ２１０に移行する。
【００３７】
上記（２）の場合は、フラッシュメモリ５１に記憶されている、変更前の元の制御信号（後述するステップＳ１０４のバックライト輝度調光設定により設定される制御信号）をフラッシュメモリ５１より読み出し（ステップＳ２０４）、パワーＬＣＤフラグに１０を上書きし（ステップＳ２０５）、ステップＳ２１０に移行する。
【００３８】
上記（３）の場合は、フラッシュメモリ５１に記憶されている、バックライト１２を最小輝度にするための、バックライト駆動回路１４に出力する制御信号を読み出した後、パワーＬＣＤメモリから最小値となるような制御信号を読み出し（ステップＳ２０６）、パワーＬＣＤフラグに１１を上書きし（ステップＳ２０７）、ステップＳ２１０に移行する。
【００３９】
上記（４）の場合は、フラッシュメモリ５１に記憶されている、変更前の元の制御信号（後述するステップＳ１０４のバックライト輝度調光設定により設定される制御信号）をフラッシュメモリ５１より読み出し（ステップＳ２０８）、パワーＬＣＤフラグに１０を上書きし（ステップＳ２０９）、ステップＳ２１０に移行する。
【００４０】
ステップＳ２０３、２０５、２０７、２０９を経た後、ステップＳ２１０に移行し、バックライト駆動回路１４に出力していた現在の制御信号をフラッシュメモリ５１に記憶した後、ステップＳ２１１ではステップＳ２０２、２０４、２０６、２０８それぞれにて設定された制御信号をバックライト駆動回路１４に出力し、それぞれに応じた輝度を出力する。
【００４１】
上述した動作について図９に調光ステップと輝度の変化について詳述する。
【００４２】
調光ステップが中間の位置にあるとする。操作者によりパワーＬＣＤ設定が操作されると、輝度が＋αステップに変更され（遷移（１））、次の操作では輝度が中間の位置、つまり変更前の輝度に戻る（遷移（２））。次に操作された場合は、輝度が−βステップに変更され（遷移（３））、次の操作では輝度が中間の位置に戻る（操作（４））。
【００４３】
バックライト輝度がバックライト輝度調光設定により変更されていた際の、パワーＬＣＤモード設定の動作を図９にて示す。
【００４４】
この場合も、中間輝度が調光輝度に変化されている以外は、遷移動作の（１）→（２）→（３）→（４）に変わりはない。調光輝度がすでに＋α（−β）である場合は、（１）（（３））の遷移を行っても一見輝度が変更しないように見えるが、ここでは問題ないとする。
【００４５】
ステップＳ２０２にて最大輝度制御信号読み出し、ステップＳ２０６にて最小輝度制御信号読み出しとなっているが、バックライトで駆動できる最大・最小輝度でなくても、ある程度の大きさ、の輝度の制御信号読み出しとし、図８において＋α、−βステップの輝度がそれぞれ最大輝度、最小輝度でなくても問題はない。
【００４６】
また図９における動作は中間輝度→最大輝度→中間輝度→最小輝度→中間輝度という遷移の繰り返しであったが、これを図１１のように中間輝度→最小輝度→中間輝度→最大輝度→中間輝度の遷移としても問題ない。この場合は、図５のフローチャートは、ステップＳ２０２において最大輝度制御信号読み出しが最小輝度制御信号読み出しへ、ステップＳ２０３において最小輝度制御信号読み出しが最大輝度制御信号読み出しへと変更すれば容易に実現可能である。
【００４７】
また図１２のように、中間輝度→最大輝度→最小輝度→中間輝度という３回の遷移の繰り返しも容易に実現できる。この場合は、図５のフローチャートを図６のように変更すれば実現可能である。
【００４８】
また、図１３のように中間輝度→最小輝度→最大輝度→中間輝度という遷移も容易に実現可能である。
【００４９】
また、以上の輝度変更はバックライトを備えた表示装置が対象となるため、特にデジタルカメラでなくても構わない。例えば、パーソナルコンピュータ、携帯電話、ファクシミリ装置、複写機等にも適用可能である。
【００５０】
次に、図４におけるバックライト輝度調光設定サブルーチンＳ１０４について図７を用いて説明する。
【００５１】
操作者によりバックライト輝度調光設定がなされると、輝度変更を行い（ステップＳ３０１）、フラッシュメモリ５１内に記憶されているパワーＬＣＤフラグを００に更新する（ステップＳ３０２）。つまり、ステップＳ１０３にてパワーＬＣＤ設定がなされた後にバックライト輝度調光設定がなされると、パワーＬＣＤ設定が解除されるとしている。次に、ステップＳ３０３にて現在の制御信号を記憶して終了する。
【００５２】
ここで、実際はステップＳ３０１〜Ｓ３０３の順序が異なっていても、バックライト輝度調光設定に全く差し支えはない。
【００５３】
次に、図４における表示設定サブルーチンＳ１０５について図８を用いて説明する。
【００５４】
操作者により表示設定がなされると、まずモード切替スイッチ４１の状態を確認する（ステップＳ５０１）。モードが静止画撮影モードであればステップＳ５０２へ進み、動画撮影モードであればステップＳ５１１へ、再生モードであれば、ステップＳ５１４へ進む。
【００５５】
ステップＳ５０２にて、外部メモリスロット５２に外部メモリが挿入されているかを確認し、挿入されている場合はステップＳ５０３に、挿入されていない場合は、ステップＳ５０７へ進む。ステップＳ５０３にて現在の表示設定モードを確認し、表示装置１０の状態が、映像のみの表示の場合は、映像ならびに情報表示に設定する（ステップＳ５０４）。また、ステップＳ５０３にて表示装置１０の状態が映像ならびに情報表示の場合は、表示なしに設定し、中央処理装置２２により、バックライト駆動回路１４の駆動を停止し、バックライト１２の駆動を停止する（ステップＳ５０５）。ステップＳ５０３にて表示なしの場合は、映像のみの表示に設定する（ステップＳ５０６）。
【００５６】
ステップＳ５０７にて現在の表示設定モードを確認し、表示装置１０の状態が、映像のみの表示であれば、映像ならびに情報表示に設定する。ステップＳ５０７にて映像ならびに情報表示の場合は、映像信号はＯＦＦとするが、バックライトの駆動はそのままとする（ステップＳ５０９）。このとき、表示装置１０には映像信号はなくなるが、外部メディアが未挿入等の情報を表示装置１０に表示し、本体使用者に警告をだすことが可能である。ステップＳ５０７にて表示なしの場合は、映像のみの表示に設定する（ステップＳ５１０）。
【００５７】
次に、ステップＳ５０１にて動画撮影モードの設定が選択された際のフローチャートを示す。ステップＳ５１１にて、現在の表示設定モードを確認し、表示装置１０の状態が映像のみの表示の場合は、映像ならびに情報表示モードに設定し（ステップＳ５１２）、ステップＳ５１１にて映像ならびに情報表示の場合は、映像のみの表示に設定する（ステップＳ５１３）。動画撮影モードにおいては、常に映像表示設定となっているが、これは、映像表示をＯＦＦした際にユーザーが知りたいと思われる、録画時間、設定モード等の表示機能を表示装置１０以外には持たない仕様を前提にしているためである。もし、前記の表示が可能であれば、表示設定の切替で映像表示なしにしても問題ない。その場合は、ステップＳ５０１から静止画撮影モードの分岐と全く同じフローチャートで実現可能である。
【００５８】
次に、ステップＳ５０１にて再生モードの設定が選択された際のフローチャートを示す。ここで本実施形態のデジタルカメラの映像は、外部メディアにのみ保存されることを前提としている。ステップＳ５１４にて外部メモリスロット５２に外部メモリが挿入されているかを確認し、挿入されている場合はステップＳ５１５に進む。ステップＳ５１５にて外部メディアに保存されている映像をチェックし、１つでも保存されている場合はステップＳ５１６に進む。ステップＳ５１６にて現在の表示設定モードを確認し、表示装置１０の状態が映像のみの表示の場合は、映像ならびに情報表示モードに設定し（ステップＳ５１７）、ステップＳ５１６にて映像ならびに情報表示の場合は、映像のみの表示に設定する（ステップＳ５１８）。ステップＳ５１４に外部メモリスロット５２に外部メモリが挿入されていない場合、または外部メモリが挿入されていても、映像が１つも保存されていない場合はステップＳ５１９に進み、動作無効として終了とする。
【００５９】
以上、本実施形態ではデジタルカメラとしての動作を示したが、撮像装置３０がない構成のものでも構わない。その際は、図４における表示設定のサブルーチン図８において、ステップＳ５０１の分岐で静止画撮影モードと動画撮影モードの選択を除外すればよい。
【００６０】
上記実施形態においては、パワーＬＣＤモード設定により、最大輝度もしくは最小輝度が設定される例を用いて説明したが、最小輝度もしくは最大輝度に限定されるものではなく、ある程度の許容範囲を持たせても良い。例えば、図３を用いて説明すると、最大輝度とは＋７よりも少し小さな値の＋６．５（最小輝度であれば−７よりも少し大きな値の−６．５）等も含まれるものとする。
【００６１】
上記実施形態においては、表示設定ボタン４２の押下時間に応じて、パワーＬＣＤモード及び表示設定モードを切り替えて制御する例を用いて説明したが、パワーＬＣＤモードを設定するための専用ボタンを設けることも可能である。専用ボタンを設けることで、図４のステップＳ１０７でボタンの長押しを判断する必要がなく、処理が単純化できる効果がある。
【００６２】
＜他の実施形態＞
本発明の目的は、前述した実施形態の機能を実現するソフトウエアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても、達成されることは言うまでもない。この場合、記憶媒体から読み出されたプログラムコード自体が前述した実施形態の機能を実現することとなり、そのプログラムコードを記憶した記憶媒体は本発明を構成することになる。
【００６３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６４】
また、コンピュータが読み出したプログラムコードを実行することにより、前述した実施形態の機能が実現されるだけでなく、そのプログラムコードの指示に基づき、コンピュータ上で稼動しているＯｐｅｒａｔｉｎｇ  Ｓｙｓｔｅｍ（ＯＳ）などが実際の処理の一部または全部を行い、その処理によって前述した実施例の機能が実現される場合も含まれることは言うまでもない。
【００６５】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【符号の説明】
【００６６】
１０  液晶表示装置
１１  液晶パネル
１２  バックライト
１３  パネル駆動回路
１４  バックライト駆動回路
２１  画像信号処理装置
２２  中央処理装置
３０  撮像装置
３１  レンズ（バリア・絞り・鏡筒）
３２  撮像素子
３３  撮像駆動回路
３４  Ａ／Ｄ変換回路
４１  モード（静止画／動画／再生）切替スイッチ
４２  表示設定ボタン
５１  フラッシュメモリ
５２  外部メモリスロット
６１  光学ファインダー
【図１】
0005389149.tif 000002
【図２】
0005389149.tif 000003
【図３】
0005389149.tif 000004
【図４】
0005389149.tif 000005
【図５】
0005389149.tif 000006
【図６】
0005389149.tif 000007
【図７】
0005389149.tif 000008
【図８】
0005389149.tif 000009
【図９】
0005389149.tif 000010
【図１０】
0005389149.tif 000011
【図１１】
0005389149.tif 000012
【図１２】
0005389149.tif 000013
【図１３】
0005389149.tif 000014